(57)【要約】      （修正有）【課題】ダブルデッキエレベータにおける上かご又は下かごに接続されるケーブルが、機器に接触しないようにする。【解決手段】ダブルデッキエレベータは、上かご８００又は下かご８５０と制御装置とを接続するケーブル７７０と、ケーブル７７０を案内するガイド部材７８０と、外かご枠７００に設けられ、ガイド部材７８０を固定する横梁７２０と、を備えるものである。【選択図】図３
2018039629.tif 000002
【特許請求の範囲】
【請求項１】
昇降路内を昇降する外かご枠と、当該外かご枠内に設けられ、当該外かご枠に対してそれぞれ上下方向に移動可能に設けられた上かご及び下かごとを備えるダブルデッキエレベータであって、
前記上かご又は前記下かごと制御装置とを接続するケーブルと、
前記ケーブルを案内するガイド部材と、
前記外かご枠に設けられ、前記ガイド部材を固定する横梁と、
を備えるダブルデッキエレベータ。
【請求項２】
昇降路内を昇降する外かご枠と、当該外かご枠内に設けられ、当該外かご枠に対してそれぞれ上下方向に移動可能に設けられた上かご及び下かごとを備えるダブルデッキエレベータであって、
前記上かご又は前記下かごと制御装置とを接続するケーブルと、
前記ケーブルを案内するガイド部材と、
前記上かご又は前記下かごの上面上に設けられ、前記ガイド部材を固定する固定部材と、
を備えるダブルデッキエレベータ。
【請求項３】
前記外かご枠に設けられ、前記ガイド部材を固定する横梁を備える、請求項２記載のダブルデッキエレベータ。
【請求項４】
前記ガイド部材が複数備えられ、
少なくとも一の前記ガイド部材が前記ケーブルの動作を阻害するように配置される、請求項１、２又は３記載のダブルデッキエレベータ。
【請求項５】
請求項１乃至４記載のダブルデッキエレベータを用いたエレベータ駆動方法であって、
前記上かごが前記外かご枠に対して上下方向に移動する上かご移動工程と、
前記上かご移動工程により前記上かごが前記外かご枠に対して上昇した場合、前記ガイド部材が前記上かごに接続された前記ケーブルを案内する第１ガイド工程と、
前記下かごが前記外かご枠に対して上下方向に移動する下かご移動工程と、
前記下かご移動工程により前記下かごが前記外かご枠に対して上昇した場合、前記ガイド部材が前記下かごに接続された前記ケーブルを案内する第２ガイド工程と、を含む、エレベータ駆動方法。
【請求項６】
前記下かご移動工程によって前記下かごが上昇した場合、前記上かご移動工程によって前記上かごが下降する請求項５記載のエレベータ駆動方法。
【発明の詳細な説明】
【技術分野】
【０００１】
本発明は、ダブルデッキエレベータ及びその駆動方法に関する。
【背景技術】
【０００２】
近年、建築物の大規模化、高層化が進んでいる。そして、人等の輸送力を向上させるために、ダブルデッキエレベータが提案されている。
【０００３】
特許文献１に記載されているように、ダブルデッキエレベータは、一つの昇降路内を通常連結した２台のかごを同時走行させるものである。そして、階床の間隔が異なる場合、外かご枠内において上かごと下かごの間隔が調節される。
【０００４】
そのため、外かご枠と内かご（上かご、下かご）との相対位置が変化し、内かご（上かご、下かご）上部に取付けられ制御盤（制御装置）に繋がっているトラベリングケーブルは、外かご枠と内かご（上かご、下かご）とが所定距離離れることが可能であるように、余裕をもった長さとなっている。
【０００５】
そして、外かご枠内で上かご又は下かごが上昇する場合、上かご又は下かごの上部に取付けられているトラベリングケーブルの余裕部分は、自然に折れ曲がる。
【先行技術文献】
【特許文献】
【０００６】
【特許文献１】特開平８−２４５０８９号公報
【発明の概要】
【発明が解決しようとする課題】
【０００７】
しかしながら、外かご枠の枠と内かご（上かご、下かご）が近づいた場合、トラベリングケーブルの余裕部分は、不規則に動き、どのような状態に折れ曲がるか予測不能である。
【０００８】
そのため、不規則に折れ曲がったトラベリングケーブルが、上かご又は下かご上の機器と接触し、トラベリングケーブル又は機器が損傷又は故障するおそれがあった。
【０００９】
本発明の主な目的は、かごに接続されるケーブルが、機器に接触しないようにすることである。
【課題を解決するための手段】
【００１０】
本発明に係るダブルデッキエレベータは、昇降路内を昇降する外かご枠と、当該外かご枠内に設けられ、当該外かご枠に対してそれぞれ上下方向に移動可能に設けられた上かご及び下かごとを備えるダブルデッキエレベータであって、前記上かご又は前記下かごと制御装置とを接続するケーブルと、前記ケーブルを案内するガイド部材と、前記外かご枠に設けられ、前記ガイド部材を固定する横梁と、を備えるものである。
【００１１】
このようなものであれば、前記ガイド部材によって前記ケーブルが案内されるため、前記ケーブルの動きが制御され、前記ケーブルが機器等に接触しないようにすることができる。
【００１２】
本発明に係るダブルデッキエレベータは、昇降路内を昇降する外かご枠と、当該外かご枠内に設けられ、当該外かご枠に対してそれぞれ上下方向に移動可能に設けられた上かご及び下かごとを備えるダブルデッキエレベータであって、前記上かご又は前記下かごと制御装置とを接続するケーブルと、前記ケーブルを案内するガイド部材と、前記上かご又は前記下かごの上面上に設けられ、前記ガイド部材を固定する固定部材と、を備えるものである。
【００１３】
このようなものであれば、前記ガイド部材によって前記ケーブルが案内されるため、前記ケーブルの動きが制御され、前記ケーブルが機器等に接触しないようにすることができる。
【００１４】
本発明に係るダブルデッキエレベータは、昇降路内を昇降する外かご枠と、当該外かご枠内に設けられ、当該外かご枠に対してそれぞれ上下方向に移動可能に設けられた上かご及び下かごとを備えるダブルデッキエレベータであって、前記上かご又は前記下かごと制御装置とを接続するケーブルと、前記ケーブルを案内するガイド部材と、前記上かご又は前記下かごの上面上に設けられ、前記ガイド部材を固定する固定部材と、前記外かご枠に設けられ前記ガイド部材を固定する横梁と、を備えるものである。
【００１５】
このようなものであれば、前記上かごの上面上に前記固定部材が設けられ、前記下かごの上方に前記ガイド部材を固定する横梁が備えられる構成が含まれる。
【００１６】
また、前記上かごの上方に前記ガイド部材を固定する横梁が備えられ、前記下かごの上面上に前記固定部材が設けられる構成も含まれる。
【００１７】
このようなものであれば、前記ガイド部材によって前記ケーブルが案内されるため、前記ケーブルの動きが制御され、前記ケーブルが機器等に接触しないようにすることができる。
【００１８】
前記ガイド部材が複数備えられ、少なくとも一の前記ガイド部材が前記ケーブルの動作を阻害するように配置されてもよい。
【００１９】
このようなものであれば、前記ケーブルが想定していない方向へ折れ曲がることを防止することができる。
【００２０】
上記ダブルデッキエレベータを用いたエレベータ駆動方法であって、前記上かごが前記外かご枠に対して上下方向に移動する上かご移動工程と、前記上かご移動工程により前記上かごが前記外かご枠に対して上昇した場合、前記ガイド部材が前記上かごに接続された前記ケーブルを案内する第１ガイド工程と、前記下かごが前記外かご枠に対して上下方向に移動する下かご移動工程と、前記下かご移動工程により前記下かごが前記外かご枠に対して上昇した場合、前記ガイド部材が前記下かごに接続された前記ケーブルを案内する第２ガイド工程と、を含む、方法である。
【００２１】
このような方法であれば、前記ガイド部材によって前記ケーブルが案内されるため、前記ケーブルの動きが制御され、前記ケーブルが機器等に接触しないようにすることができる。
【００２２】
上記エレベータ駆動方法は、前記下かご移動工程によって前記下かごが上昇した場合、前記上かご移動工程によって前記上かごが下降する方法であってもよい。
【００２３】
前記ケーブルは前記上かご及び前記下かごの少なくともいずれか一方の上部に接続されるものであってもよい。
【００２４】
また、前記ケーブルは、前記上かご及び前記下かごの少なくともいずれか一方の上部に設けられた機器に接続されるものであってもよい。
【発明の効果】
【００２５】
本発明に係るダブルデッキエレベータであれば、かごに接続されたケーブルが機器等に接触しないようにすることができる。
【図面の簡単な説明】
【００２６】
【図１】本実施形態に係るダブルデッキエレベータの側面視概略図。
【図２】本実施形態に係るダブルデッキエレベータの斜視図。
【図３】実施形態１に係るダブルデッキエレベータの側面図。
【図４】実施形態２に係るダブルデッキエレベータの側面図。
【図５】実施形態３に係るダブルデッキエレベータの側面図。
【図６】実施形態４に係るダブルデッキエレベータの側面図。
【図７】実施形態５に係るダブルデッキエレベータの側面図。
【図８】本実施形態に係るダブルデッキエレベータにおけるトラベリングケーブルの案内方法のフローチャート。
【発明を実施するための形態】
【００２７】
以下、本発明に係るダブルデッキエレベータの実施形態に関して図面を参照しながら説明する。
【００２８】
（ダブルデッキエレベータ１００）
図１示すように、ダブルデッキエレベータ１００において、昇降路最上部の機械室には巻上機２００が設置されている。巻上機２００の駆動シーブ２１０に巻き掛けられた主ロープ２２０の一端部には外かご枠７００が、他端部には釣合錘２４０が連結されている。
【００２９】
巻上機２００のモータ（図示しない）によって駆動シーブ２１０が回転駆動されると、これに伴って主ロープ２２０が走行し、主ロープ２２０で吊り下げられた外かご枠７００が、外かご枠ガイドレール３００に案内されて昇降路内を昇降する。
【００３０】
ダブルデッキエレベータ１００には、外かご枠７００の昇降速度が所定速度を超過したことを機械的に検知する調速機４００が設けられている。調速機４００のガバナシーブ４１０とガバナシーブ４１０の下方に位置するテンションシーブ５００との間には、無端状のガバナロープ６００が巻き掛けられている。
【００３１】
テンションシーブ５００には錘７００が吊設されており、ガバナロープ６００は、これらの自重によって主ロープ２２０と平行に緊張した状態で張架されている。このガバナロープ６００の一部は、外かご枠７００側に備えた非常止め装置２３０を作動させる非常止めレバー２５０に固定されている。
【００３２】
このため、ガバナロープ６００は、外かご枠７００の昇降に同期して外かご枠７００と同速度で走行する。このとき、ガバナロープ６００の走行速度と同速度で回転させられるガバナシーブ４１０の回転速度を調速機４００が検出することで、昇降中の外かご枠７００の速度超過が検知される。
【００３３】
（外かご枠７００）
図２乃至図６に示すように、外かご枠７００は、上かご８００及び下かご８５０を上下動可能に囲むものである。外かご枠７００は、ｘ軸方向で上かご８００及び下かご８５０の両側に配置される縦梁７１０と、上かご８００の上方及び下かご８５０の下方並びに上かご８００と下かご８５０との間に配置される横梁７２０と、を含む。
【００３４】
外かご枠７００内には、下かご８５０を上方に移動させるジャッキ装置７３０と、上かご８００及び下かご８５０が上下動するための内かごガイドレール７４０と、下かご８５０の上下動に連動して上かご８００を上下動させるための滑車７５０と、上かご８００及び下かご８５０の上下動を緊急停止させるための内かご用非常止め装置（図示しない）と、が含まれる。
【００３５】
外かご枠７００は、縦梁７１０と横梁７２０とを含む。本実施形態における縦梁７１０は、格子状である。
【００３６】
上かご８００及び下かご８５０に対してｘ軸正方向側には、縦梁７１０である第１縦梁７１１が配置される。上かご８００及び下かご８５０に対してｘ軸負方向側には、縦梁７１０である第２縦梁７１２が配置される。
【００３７】
第１縦梁７１１の内側（ｘ軸負方向側）には、内かごガイドレール７４０である第１内かごガイドレール７４１が配置されている。
【００３８】
第２縦梁７１２の内側（ｘ軸正方向側）には、内かごガイドレール７４０である第２内かごガイドレール７４２が配置されている。
【００３９】
第１内かごガイドレール７４１及び第２内かごガイドレール７４２に沿って、上かご８００及び下かご８５０が上下動する。
【００４０】
上かご８００の上方には、第１縦梁７１１と第２縦梁７１２とを接続する横梁７２０である第１横梁７２１が配置される。上かご８００と下かご８５０との間には、第２横梁７２２が配置される。下かご８５０の下方には、第３横梁７２３が配置される。第３横梁７２３の下方には、第４横梁７２４が配置されている。
【００４１】
第１横梁７２１には、上かご８００を上下動するための滑車７５０が配置されている。第３横梁７２３と第４横梁７２４との間には、ジャッキ装置７３０が配置されている。
【００４２】
ジャッキ装置７３０は、下かご８５０を上下動させるジャッキ７３１と、ジャッキ７３１を駆動させるモータ７３２と、を含む。
【００４３】
モータ７３２の駆動によりジャッキ７３１の上端面の位置が上昇又は下降する。モータ７３２は制御装置（図示しない）に接続されている。
【００４４】
ジャッキ７３１の上端面の位置が上昇した場合、下かご８５０は上昇する。ジャッキ７３１の上端面の位置が下降した場合、下かご８５０は下降する。
【００４５】
下かご８５０と上かご８００とは、ロープ（図示しない）で接続されている。ロープ（図示しない）は、滑車７５０に掛けられており、その向きが変わっている。
【００４６】
そして、本実施形態では、下かご８５０が上昇した場合、上かご８００は下降する。逆に下かご８５０が下降した場合、上かご８００は上昇する。
【００４７】
このような構成により、上かご８００と下かご８５０との間隔が調節される。つまり、階床の位置に合わせて、上かご８００及び下かご８５０の位置が調節される。
【００４８】
なお、階床の位置、上かご８００及び下かご８５０の位置は、滑車７５０に取付けられる検出器であるロータリエンコーダ（図示しない）が用いられる。
【００４９】
つまり、滑車７５０の回転数をロータリーエンコーダ（図示しない）が検出し、その値に基づいて制御装置（図示しない）が、階床の位置、上かご８００及び下かご８５０の位置を判断し、制御（位置制御）する。
【００５０】
また、検出器は、位置センサ（図示しない）が用いられてもよい。
【００５１】
上かご８００及び下かご８５０の上部には、ドアの開閉等の制御及び電力供給等を行うためのケーブルであるトラベリングケーブル７７０の一端が接続されている。
【００５２】
上かご８００の上部に接続されているトラベリングケーブル７７０は、第１ケーブル７７１である。下かご８５０の上部に接続されているトラベリングケーブル７７０は、第２ケーブル７７２である。
【００５３】
トラベリングケーブル７７０（第１ケーブル７７１、第２ケーブル７７２）の他端は、制御装置（図示しない）に接続されている。
【００５４】
なお、本実施形態では、下かご８５０がジャッキ装置７３０によって上方に持ち上げられることにより、上かご８００及び下かご８５０が上下方向に駆動されるが、他の方法により、上かご８００及び下かご８５０が上下方向に駆動されてもよい。
【００５５】
例えば、上かご８００及び下かご８５０が、通常のエレベータのかごのように、それぞれ駆動シーブ（滑車７５０）の回転によって昇降されてもよい。
【００５６】
つまり、モータによって滑車７５０が回転駆動され、これに伴ってロープが走行し、ロープで吊り下げられた上かご８００又は下かご８５０が、内かご枠ガイドレール７４０に案内されて外かご枠７００内を昇降する構成であってもよい。
【００５７】
また、本実施形態におけるジャッキ装置７３０は、油圧式であるが、ボールネジを利用するもの又はパンタグラフ構造を利用するものであってもよい。
【００５８】
その他、外かご枠７００内の上かご８００及び下かご８５０の上下方向の昇降は、どのようなものであってもよく、特に限定されない。
【００５９】
（トラベリングケーブル７７０の案内）
＜実施形態１＞
実施形態１では、トラベリングケーブル７７０が折れ曲がる動作を案内するガイド部材７８０が、外かご枠７００に配置される構成である。
【００６０】
図３に示すように、外かご枠７００には、上記に記載した第１横梁７２１、第２横梁７２２、第３横梁７２３及び第４横梁７２４以外に、第５横梁７２５及び第６横梁７２６が配置されている。
【００６１】
第５横梁７２５は、上かご８００の上方に配置されている。本実施形態では、第５横梁７２５には、ガイド部材７８０である第１ガイド部材７８１及び第２ガイド部材７８２が配置される。
【００６２】
また、本実施形態では、トラベリングケーブル７７０である第１ケーブル７７１がｘ軸負方向に折れ曲がるように、第１ガイド部材７８１及び第２ガイド部材７８２が配置されている。
【００６３】
本実施形態では、第１ガイド部材７８１及び第２ガイド部材７８２は、ｙ軸方向に伸びるパイプである。第１ガイド部材７８１及び第２ガイド部材７８２は、その両端を第５横梁７２５に固定される。なお、第１ガイド部材７８１及び第２ガイド部材７８２は、第５横梁７２５に回転（自転）可能に固定されていてもよい。
【００６４】
第１ガイド部材７８１と第２ガイド部材７８２との間に第１ケーブル７７１がｘ軸負方向に湾曲して配置される。
【００６５】
これにより、上かご８００が外かご枠７００内で上昇した場合、図３に示すように、第１ケーブル７７１が、第１ガイド部材７８１と第２ガイド部材７８２との間でｘ軸負方向に折れ曲がるように案内される。
【００６６】
なお、第１ガイド部材７８１及び第２ガイド部材７８２の少なくともいずれか一方が、ｘ軸方向及びｚ軸方向の少なくともいずれか一方に動くように構成されてもよい。
【００６７】
第５横梁７２５は、外かご枠７００に対してｚ軸方向に可動するように構成されていてもよい。また、第１ガイド部材７８１と第２ガイド部材７８２のｚ軸方向の間隔が調節されるような構成であってもよい。
【００６８】
第６横梁７２６は、第２横梁７２２と下かご８５０との間に配置される。本実施形態では、第６横梁７２６には、ガイド部材７８０である第３ガイド部材７８３及び第４ガイド部材７８４が配置される。
【００６９】
また、本実施形態では、トラベリングケーブル７７０である第２ケーブル７７２がｘ軸方向に折れ曲がるように、第３ガイド部材７８３及び第４ガイド部材７８４が配置されている。
【００７０】
本実施形態では、第３ガイド部材７８３及び第４ガイド部材７８４は、ｙ軸方向に伸びるパイプである。第３ガイド部材７８３及び第４ガイド部材７８４は、その両端を第６横梁７２６に固定される。なお、第３ガイド部材７８３及び第４ガイド部材７８４は、第６横梁７２６に回転（自転）可能に固定されていてもよい。
【００７１】
本実施形態では、第２ケーブル７７２が、第３ガイド部材７８３と第４ガイド部材７８４との間を通過するように配置されている。具体的には、第２ケーブル７７２は、第３ガイド部材７８３のｘ軸負方向側を通過し、第３ガイド部材７８３と第４ガイド部材７８４の間を通過し、第４ガイド部材７８４のｘ軸正方向側を通過するように配置されている。
【００７２】
このように第２ケーブル７７２が配置された場合であっても、第２ケーブル７７２は、下かご８５０が外かご枠７００に対して上昇した場合、ｘ軸方向に折れ曲がるように案内される。
【００７３】
なお、第３ガイド部材７８３及び第４ガイド部材７８４の少なくともいずれか一方が、ｘ軸方向及びｚ軸方向の少なくともいずれか一方に動くように構成されてもよい。
【００７４】
第６横梁７２６は、外かご枠７００に対してｚ軸方向に可動するように構成されていてもよい。また、第３ガイド部材７８３と第４ガイド部材７８４のｚ軸方向の間隔が調節可能とする構成であってもよい。
【００７５】
また、上かご８００の上方の第１ガイド部材７８１及び第２ガイド部材７８２の配置と、下かご８５０の上方の第３ガイド部材７８３及び第４ガイド部材７８４の配置とが交換されてもよく、いずれかの配置と同じ配置であってもよい。
【００７６】
＜実施形態２＞
図４に示すように、実施形態２では、ガイド部材７８０が、上かご８００及び下かご８５０の上部に配置される構成である。実施形態１と同様の内容に関しては、省略又は簡略する場合がある。
【００７７】
上かご８００及び下かご８５０の上面上には、ガイド部材７８０を固定する固定部材７９０が配置されている。
【００７８】
具体的には、上かご８００の上面上にガイド部材７８０である第５ガイド部材７８５及び第６ガイド部材７８６を固定する固定部材７９０である第１固定部材７９１が配置されている。
【００７９】
本実施形態では、第１ケーブル７７１がｘ軸負方向に折れ曲がるように、第５ガイド部材７８５及び第６ガイド部材７８６が配置されている。
【００８０】
本実施形態では、第５ガイド部材７８５及び第６ガイド部材７８６は、ｙ軸方向に伸びるパイプである。第５ガイド部材７８５及び第６ガイド部材７８６は、その両端を第１固定部材７９１に固定されている。なお、第５ガイド部材７８５及び第６ガイド部材７８６は、第１固定部材７９１に回転（自転）可能に固定されていてもよい。
【００８１】
第５ガイド部材７８５と第６ガイド部材７８６との間に第１ケーブル７７１がｘ軸負方向に湾曲して配置される。
【００８２】
これにより、上かご８００が外かご枠７００内で上昇した場合、図４に示すように、第１ケーブル７７１が、第５ガイド部材７８５と第６ガイド部材７８６との間で、ｘ軸負方向に折れ曲がるように案内される。
【００８３】
なお、第５ガイド部材７８５及び第２ガイド部材７８６の少なくともいずれか一方が、ｘ軸方向及びｚ軸方向の少なくともいずれか一方に動くように構成されてもよい。
【００８４】
また、第５ガイド部材７８５と第６ガイド部材７８６のｚ軸方向の間隔が調節可能とする構成であってもよい。
【００８５】
下かご８５０の上面上にガイド部材７８０である第７ガイド部材７８７及び第８ガイド部材７８８を固定する固定部材７９０である第２固定部材７９２が配置されている。
【００８６】
本実施形態では、第７ガイド部材７８７及び第８ガイド部材７８８は、ｙ軸上に伸びるパイプである。第７ガイド部材７８７及び第８ガイド部材７８８は、その両端を第２固定部材７９２に固定されている。なお、第７ガイド部材７８７及び第８ガイド部材７８８は、第２固定部材７９２に回転（自転）可能に固定されていてもよい。
【００８７】
本実施形態では、第２ケーブル７７２が、第７ガイド部材７８７と第８ガイド部材７８８との間を通過するように配置されている。具体的には、第２ケーブル７７２は、第７ガイド部材７８７のｘ軸負方向側を通過し、第７ガイド部材７８７と第８ガイド部材７８８の間を通過し、第８ガイド部材７８８のｘ軸正方向側を通過するように配置されている。
【００８８】
このように第２ケーブル７７２が配置された場合であっても、第２ケーブル７７２は、ｘ軸方向に折れ曲がる。
【００８９】
なお、第７ガイド部材７８７及び第８ガイド部材７８８の少なくともいずれか一方が、ｘ軸方向及びｚ軸方向の少なくともいずれか一方に動くように構成されてもよい。
【００９０】
また、第７ガイド部材７８７と第８ガイド部材７８８のｚ軸方向の間隔が調節可能とする構成であってもよい。
【００９１】
また、上かご８００の上方の第５ガイド部材７８５及び第６ガイド部材７８６の配置と、下かご８５０の上方の第７ガイド部材７８７及び第８ガイド部材７８８の配置とが交換されてもよく、いずれかの配置と同じ配置であってもよい。
【００９２】
＜実施形態３＞
図５に示すように、実施形態３では、ガイド部材７８０が、上かご８００の上方の外かご枠７００と、下かご８５０の上部とに配置される構成である。実施形態１又は実施形態２と同様の内容に関しては、省略又は簡略する場合がある。
【００９３】
第５横梁７２５は、上かご８００の上方に配置されている。実施形態１と同様に、第５横梁７２５には、第１ガイド部材７８１及び第２ガイド部材７８２が配置される。
【００９４】
本実施形態では、第１ケーブル７７１がｘ軸負方向に折れ曲がるように、第１ガイド部材７８１及び第２ガイド部材７８２が配置されている。
【００９５】
本実施形態では、第１ガイド部材７８１及び第２ガイド部材７８２は、ｙ軸方向に伸びるパイプである。第１ガイド部材７８１及び第２ガイド部材７８２は、その両端を第５横梁７２５に固定される。なお、第１ガイド部材７８１及び第２ガイド部材７８２は、第５横梁７２５に回転（自転）可能に固定されていてもよい。
【００９６】
第１ガイド部材７８１と第２ガイド部材７８２との間に第１ケーブル７７１がｘ軸負方向に湾曲して配置される。
【００９７】
これにより、上かご８００が外かご枠７００内で上昇した場合、図５に示すように、第１ケーブル７７１が、第１ガイド部材７８１と第２ガイド部材７８２との間でｘ軸負方向に折れ曲がるように案内される。
【００９８】
なお、第１ガイド部材７８１及び第２ガイド部材７８２の少なくともいずれか一方が、ｘ軸方向及びｚ軸方向の少なくともいずれか一方に動くように構成されてもよい。
【００９９】
第５横梁７２５は、外かご枠７００に対してｚ軸方向に可動するように構成されていてもよい。また、第１ガイド部材７８１と第２ガイド部材７８２のｚ軸方向の間隔が調節可能とする構成であってもよい。
【０１００】
実施形態２と同様に、下かご８５０の上面上に第７ガイド部材７８７及び第８ガイド部材７８８を固定する第２固定部材７９２が配置されている。
【０１０１】
本実施形態では、第７ガイド部材７８７及び第８ガイド部材７８８は、ｙ軸上に伸びるパイプである。第７ガイド部材７８７及び第８ガイド部材７８８は、その両端を第２固定部材７９２に固定されている。なお、第７ガイド部材７８７及び第８ガイド部材７８８は、第２固定部材７９２に回転（自転）可能に固定されていてもよい。
【０１０２】
本実施形態では、第２ケーブル７７２が、第７ガイド部材７８７と第８ガイド部材７８８との間を通過するように配置されている。具体的には、第２ケーブル７７２は、第７ガイド部材７８７のｘ軸負方向側を通過し、第７ガイド部材７８７と第８ガイド部材７８８の間を通過し、第８ガイド部材７８８のｘ軸正方向側を通過するように配置されている。
【０１０３】
このように第２ケーブル７７２が配置された場合であっても、第２ケーブル７７２は、ｘ軸方向に折れ曲がる。
【０１０４】
なお、第７ガイド部材７８７及び第８ガイド部材７８８の少なくともいずれか一方が、ｘ軸方向及びｚ軸方向の少なくともいずれか一方に動くように構成されてもよい。
【０１０５】
また、第７ガイド部材７８７と第８ガイド部材７８８のｚ軸方向の間隔が調節可能とする構成であってもよい。
【０１０６】
また、上かご８００の上方の第１ガイド部材７８１及び第２ガイド部材７８２の配置と、下かご８５０の上方の第７ガイド部材７８７及び第８ガイド部材７８８の配置とが交換されてもよく、いずれかの配置と同じ配置であってもよい。
【０１０７】
＜実施形態４＞
図６に示すように、実施形態４では、ガイド部材７８０が、上かご８００の上部と、下かご８５０の上方の外かご枠７００とに配置される構成である。実施形態１、実施形態２又は実施形態３と同様の内容に関しては、省略又は簡略する場合がある。
【０１０８】
実施形態２と同様に、上かご８００及び下かご８５０の上面上には、ガイド部材７８０を固定する固定部材７９０が配置されている。
【０１０９】
具体的には、上かご８００の上面上に第５ガイド部材７８５及び第６ガイド部材７８６を固定する第１固定部材７９１が配置されている。
【０１１０】
本実施形態では、第１ケーブル７７１がｘ軸負方向に折れ曲がるように、第５ガイド部材７８５及び第６ガイド部材７８６が配置されている。
【０１１１】
本実施形態では、第５ガイド部材７８５及び第６ガイド部材７８６は、ｙ軸方向に伸びるパイプである。第５ガイド部材７８５及び第６ガイド部材７８６は、その両端を第１固定部材７９１に固定されている。なお、第５ガイド部材７８５及び第６ガイド部材７８６は、第１固定部材７９１に回転（自転）可能に固定されていてもよい。
【０１１２】
第５ガイド部材７８５と第６ガイド部材７８６との間に第１ケーブル７７１がｘ軸負方向に湾曲して配置される。
【０１１３】
これにより、上かご８００が外かご枠７００内で上昇した場合、図６に示すように、第１ケーブル７７１が、第５ガイド部材７８５と第６ガイド部材７８６との間で、ｘ軸負方向に折れ曲がるように案内される。
【０１１４】
なお、第５ガイド部材７８５及び第６ガイド部材７８６の少なくともいずれか一方が、ｘ軸方向及びｚ軸方向の少なくともいずれか一方に動くように構成されてもよい。
【０１１５】
また、第５ガイド部材７８５と第６ガイド部材７８６のｚ軸方向の間隔が調節可能とする構成であってもよい。
【０１１６】
第６横梁７２６は、第２横梁７２２と下かご８５０との間に配置される。本実施形態では、第６横梁７２６には、ガイド部材７８０である第３ガイド部材７８３及び第４ガイド部材７８４が配置される。
【０１１７】
本実施形態では、実施形態１と同様に、第２ケーブル７７２がｘ軸方向に折れ曲がるように、第３ガイド部材７８３及び第４ガイド部材７８４が配置されている。
【０１１８】
本実施形態では、第３ガイド部材７８３及び第４ガイド部材７８４は、ｙ軸方向に伸びるパイプである。第３ガイド部材７８３及び第４ガイド部材７８４は、その両端を第６横梁７２６に固定される。なお、第３ガイド部材７８３及び第４ガイド部材７８４は、第６横梁７２６に回転（自転）可能に固定されていてもよい。
【０１１９】
本実施形態では、第２ケーブル７７２が、第３ガイド部材７８３と第４ガイド部材７８４との間を通過するように配置されている。具体的には、第２ケーブル７７２は、第３ガイド部材７８３のｘ軸負方向側を通過し、第３ガイド部材７８３と第４ガイド部材７８４の間を通過し、第４ガイド部材７８４のｘ軸正方向側を通過するように配置されている。
【０１２０】
このように第２ケーブル７７２が配置された場合であっても、第２ケーブル７７２は、下かご８５０が外かご枠７００に対して上昇した場合、ｘ軸方向に折れ曲がるように案内される。
【０１２１】
なお、第３ガイド部材７８３及び第４ガイド部材７８４の少なくともいずれか一方が、ｘ軸方向及びｚ軸方向の少なくともいずれか一方に動くように構成されてもよい。
【０１２２】
第６横梁７２６は、外かご枠７００に対してｚ軸方向に可動するように構成されていてもよい。また、第３ガイド部材７８３と第４ガイド部材７８４のｚ軸方向の間隔が調節可能とする構成であってもよい。
【０１２３】
また、上かご８００の上方の第５ガイド部材７８５及び第６ガイド部材７８６の配置と、下かご８５０の上方の第３ガイド部材７８３及び第４ガイド部材７８４の配置とが交換されてもよく、、いずれかの配置と同じ配置であってもよい。
【０１２４】
＜第５実施形態＞
第５実施形態では、図３乃至図６に示す第１実施形態から第４実施形態にさらにガイド部材７８０が追加される構成である。一例として第１実施形態にガイド部材７８０が追加される構成について説明する。
【０１２５】
図７は、第１実施形態にガイド部材７８０である第９ガイド部材７８９ａ及び第１０ガイド部材７８９ｂが設けられる構成である。
【０１２６】
具体的には、第９ガイド部材７８９ａは、第１ガイド部材７８１と第２ガイド部材７８２との間に配置される。
【０１２７】
トラベリングケーブル７７０である第１ケーブル７７１は、第１ガイド部材７８１のｘ軸正方向側を通過し、第９ガイド部材７８９ａのｘ軸負方向側を通過し、第２ガイド部材７８２のｘ軸正方向側を通過して、上かご８００に接続される。
【０１２８】
また、第１０ガイド部材７８９ｂは、第３ガイド部材７８３と第４ガイド部材７８４との間に配置される。
【０１２９】
トラベリングケーブル７７０である第２ケーブル７７２は、第３ガイド部材７８３のｘ軸負方向側を通過し、第１０ガイド部材７８９ｂのｘ軸正方向側を通過し、第４ガイド部材７８４のｘ軸正方向側を通過して、下かご８５０に接続される。
【０１３０】
第１ケーブル７７１は、第１ガイド部材７８１と第２ガイド部材７８２との間で、ｘ軸正方向側に折れ曲がろうとしても、第９ガイド部材７８９ａによってその進行が阻害される。
【０１３１】
第２ケーブル７７２は、第３ガイド部材７８３と第４ガイド部材７８４との間で、ｘ軸負方向側に折れ曲がろうとしても、第１０ガイド部材７８９ｂによってその進行が阻害される。
【０１３２】
つまり、第９ガイド部材７８９ａ及び第１０ガイド部材７８９ｂは、トラベリングケーブル７７０（第１ケーブル７７１、第２ケーブル７７２）が想定されていない方向に折れ曲がるのを防止する。
【０１３３】
なお、上かご８００の上方の第１ガイド部材７８１、第２ガイド部材７８２及び第９ガイド部材７８９ａの配置と、下かご８５０の上方の第３ガイド部材７８３、第４ガイド部材７８４、第１０ガイド部材７８９ｂの配置とが交換されてもよく、いずれかの配置と同じ配置であってもよい。
【０１３４】
また、第９ガイド部材７８９ａ及び第１０ガイド部材７８９ｂは、いずれか一方だけが取り付けられるような構成であってもよい。
【０１３５】
また、第９ガイド部材７８９ａ及び第１０ガイド部材７８９ｂの取り付けは、第２実施形態乃至第４実施形態でも可能である。
【０１３６】
（トラベリングケーブル７７０のガイド方法）
図８を用いて、本実施形態におけるダブルデッキエレベータ１００におけるトラベリングケーブル７７０の案内方法について説明する。まず、外かご枠７００が昇降路内を上下移動する（ステップＳ１１）。
【０１３７】
外かご枠７００が昇降路内を上下移動する方法は、既知のエレベータでかごが上下移動する方法と同様である。
【０１３８】
上かご８００及び下かご８５０をそれぞれの階床位置に合わせるため、外かご枠７００に対して下かご８５０が上昇又は降下する（ステップＳ１２、下かご移動工程）。
【０１３９】
本実施形態では、下かご８５０は、ジャッキ装置７３０により外かご枠７００に対して上昇又は降下する。
【０１４０】
下かご８５０が外かご枠７００に対して上昇又は降下することに連動して、上かご８００が外かご枠７００に対して下降又は上昇する（ステップＳ１３、上かご移動工程）。
【０１４１】
本実施形態では、下かご８５０と上かご８００とがロープ（図示しない）によって接続されている。そして、下かご８５０が外かご枠７００に対して上昇すれば上かご８００が外かご枠７００に対して降下する。また、下かご８５０が外かご枠７００に対して降下すれば上かご８００が下かご枠７００に対して上昇する。
【０１４２】
下かご８５０が外かご枠７００に対して上昇した場合、下かご８５０に接続されているトラベリングケーブル７７０がガイド部材７８０により案内される（ステップＳ１４、第１ガイド工程）。
【０１４３】
具体的には、トラベリングケーブル７７０が折れ曲がる方向をガイド部材７８０により案内する。詳細は実施形態１乃至４に記載した通りである。
【０１４４】
上かご８００が外かご枠７００に対して上昇した場合、上かご８００に接続されているトラベリングケーブル７７０がガイド部材７８０により案内される（ステップＳ１５、第２ガイド工程）。
【０１４５】
具体的には、下かご８５０の場合と同様に、トラベリングケーブル７７０が折れ曲がる方向をガイド部材７８０により案内する。詳細は実施形態１乃至４に記載した通りである。
【０１４６】
ガイド部材７８０の配置は、第１ケーブル７７１が上かご８００上部に配置された機器等に接触しないもの、又は第２ケーブル７７２が下かご８５０上部に配置された機器等に接触しないものであればどのような配置であってもよい。
【０１４７】
本実施形態では、トラベリングケーブル７７０は、ｘ軸負方向に折れ曲がっていたが、ｘ軸正方向に折れ曲がるようにガイド部材７８０が配置されてもよい。また、トラベリングケーブル７７０は、ｙ軸方向に折れ曲がるようにガイド部材７８０が配置されてもよい。
【０１４８】
また、ガイド部材７８０の数は１以上であればよく、ガイド部材７８０の数は限定されない。
【０１４９】
また、ガイド部材７８０はパイプに限定されない。ガイド部材７８０は、ベアリング等を用いてトラベリングケーブル７７０が摺動し易いような構成にしてもよい。
【０１５０】
また、ガイド部材７８０は、本実施形態では両端が保持されているが、両端でなく一端が保持される構成であってもよい。
【０１５１】
また、ガイド部材７８０は、上かご８００の上方及び下かご８５０の上方いずれか一方にのみ配置される構成であってもよい。
【０１５２】
本発明は、その趣旨を逸脱しない範囲で種々の改良、修正、又は変形を加えた態様でも実施できる。
【符号の説明】
【０１５３】
１００…ダブルデッキエレベータ
２００…巻上機
３００…外かご枠ガイドレール
４００…調速機
５００…テンションシーブ
６００…ガバナロープ
７００…外かご枠
７１０…縦梁
７２０…横梁
７３０…ジャッキ装置
７４０…内かごガイドレール
７５０…滑車
７７０…トラベリングケーブル（ケーブル）
７７１…第１ケーブル
７７２…第２ケーブル
７８０…ガイド部材
７９０…固定部材
８００…上かご
８５０…下かご
【図１】
2018039629.tif 000003
【図２】
2018039629.tif 000004
【図３】
2018039629.tif 000005
【図４】
2018039629.tif 000006
【図５】
2018039629.tif 000007
【図６】
2018039629.tif 000008
【図７】
2018039629.tif 000009
【図８】
2018039629.tif 000010